(57)【要約】      （修正有）【課題】  鋸板のＶ曲げ加工のさい、加工材の下型への喰いつき現象を防止し、取出しが容易に行えるものとなすプレス用曲げ金型装置の提供。【解決手段】  下型母体３の型打ち溝４は、その片側面を下型母体に穿設して形成される溝の片側となし、他側面は上記溝内へ無拘束状態に入れ子１を差入れ、該入れ子の上記下型母体の片側面と対称に形成される対側とで形成されるものとする。入れ子の下方先端部には水平状の皿段を形成し、該入れ子の肩段上部と皿段の下部を水平面に形成し、且つ上記肩段及び皿段上面の長さ寸法を適宜異ならしめた寸法のものになす。【選択図】      図２
2005059058.tif 000002
【特許請求の範囲】
【請求項１】
下型母体の型打ち溝は、その片側面を下型母体に穿設して形成される溝の片側となし、他側面は上記溝内へ無拘束状態に入れ子を差入れ、該入れ子の上記下型母体の片側面と対称に形成される対側とで形成されるものとなしたことを特徴とするプレス用曲げ金型装置。
【請求項２】
入れ子の下方先端部には水平状の皿段を形成するものとなしたことを特徴とする請求項１記載のプレス用曲げ金型装置。
【請求項３】
入れ子の肩段上部と皿段の下部を水平面に形成し、且つ上記肩段及び皿段上面の長さ寸法を適宜異ならしめた寸法のものになされていることを特徴とする請求項２記載のプレス用曲げ金型装置。
【請求項４】
入れ子の上記下型母体の片側面と対称に形成される対側と、反対側の片側面とは前者の傾斜角が後者の傾斜角より小ならしめる構成となしたことを特徴とする請求項１，２又は３記載のプレス用曲げ金型装置。
【発明の詳細な説明】
【技術分野】
【０００１】
本発明はプレスブレキやパワープレス等のプレス機に装着して金属板の曲げ加工を行う上型と下型とからなるプレス用曲げ金型装置に関する。
【背景技術】
【０００２】
金属板をＶ字状に曲げ加工するには、必要とする規格寸法のＶ角度に穿設した溝の形成された下型母体と、上記Ｖ角度の溝に嵌入させる断面楔状の上型とを使用し、金属板が下型のＶ角度の溝内へ楔状の上型でプレスさせることにより行われる。
而して、つぶし加工（ヘミング加工）は上記によりＶ曲げされた金属板を適宜に金型を交換することで、或いはその必要のないダブルデッキの使用により行うことが実施されている。
【０００３】
上記に於けるヘミング加工では、当初のＶ曲げ加工角度が鋭角になればなるほど、次の加圧によるつぶし作業が容易になる。然しながら、従来のＶ曲げ加工では金属板の板厚の寸法にもよるが、その可能な角度θは凡そ３０°程度までであり、これを２０°以下の鋭角に曲げ加工することは押圧加工後に金属板の下型溝内からの取出しが困難となる問題があるため、一般的に３０°までが限界とされているのが現状である。
これを技術的に解決するためには下型母体を分割可能になし、下型の一部が取り外せるようにして対処するものが提案されているものの、作業が繁雑となるため多用されるものとなっていない。
【非特許文献１】「新しい板金加工ノウハウ  ２．曲げ金型」３８頁〜４１頁  マシニスト出版株式会社
【発明の開示】
【発明が解決しようとする課題】
【０００４】
本発明は凡そ２０°以下の鋭角に曲げ加工される金属板を下型から取出すための繁雑な作業をしたりすることなく、下型から効率良く取り出せるものとするプレス用曲げ金型装置の提供である。
【課題を解決するための手段】
【０００５】
本発明は、下型母体の型打ち溝は、その片側面を下型母体に穿設して形成される溝の片側となし、他側面は上記溝内へ無拘束状態に入れ子を差入れ、該入れ子の上記下型母体の片側面と対称に形成される対側とで形成されるものとなしたことを特徴とする。
【０００６】
このさい、入れ子の下方先端部には水平状の皿段を形成するものとなさしめるのであり、一方入れ子の肩段上部と皿段の下部は水平面に形成し、且つ上記肩段及び皿段上面の長さ寸法を適宜異ならしめた寸法のものに作成するのであり、他方入れ子の上記下型母体の片側面と対称に形成される対側と、反対側の片側面とは前者の傾斜角が後者の傾斜角より小ならしめる構成にするのである。
【発明の効果】
【０００７】
本発明装置によれば板厚３ｍｍ程度の金属板を、凡そ１５°の角度程度までに曲げ加工するような場合であっても何ら支障なく形成させることができ、そのさい加工金属板の下型への喰いつき現象も無くて容易に型内から取り出され、効率良く実施可能となる。
而して、つぶし加工も上記の如く鋭角曲げされることにより、従来のものに比べて迅速な加工が容易となって、作業性能の飛躍的な向上及び品質向上に寄与すること大ならしめるものとなる。
【発明を実施するための最良の形態】
【０００８】
本発明装置で使用する入れ子は無拘束状態となされる。このことは成形加工が終了しプレス機の操作で成形された金属板を挟んだ上型と下型とが離れる瞬間、当該入れ子も同時に僅かに浮上し、スプリングバックによるワーク（加工金属板）の下型への喰いつき現象を防止して、円滑な取出しを可能ならしめるのである。
【実施例１】
【０００９】
図１は本発明装置で使用する入れ子１の斜視図である。図２は上記の入れ子１を装備するプレス用曲げ金型装置の下型母体３の模式説明図であってＡは入れ子１を差入れてない状態を、Ｂは差入れた状態の同説明図である。
本例のプレス用曲げ金型装置の下型母体３は凹型３Ａと、該凹型に嵌入されて上下方向へ摺動移動する逆凸型３Ｂの二体に二分割されてなり、逆凸型３Ｂの摺動移動で形成されるものとなる間隙箇所５に対し、上記の一時加工品を差込んで二次加工成形の行われるようにするダブルデッキのタイプを示している。
【００１０】
本発明装置で下型母体３の上部に穿設する溝４は、その内方片側面ａの傾斜角αを曲げ加工品で要求される角度θの１／２に形成したものとなしてあり、これに対し他の片側面ｂは上記以外の任意な傾斜角βとなされるが、このさい該傾斜面ｂの傾斜角βは上記した片側面ａの傾斜角αに比べβ＞αの関係となされる。
なお、本発明装置では上記溝４の全体大きさを、従来のものより比較的大きなものに形成されるようになすのであり、これは次述する入れ子１が該溝４内へ無拘束状態に差入れられるようになすためである。
【００１１】
次に本発明に於ける入れ子１は図１に示す如き構成であって、即ち１ａは該入れ子１の長さ方向に沿って形成される片側面であり、該片側面の傾斜角は曲げ加工品で要求される角度θの１／２に形成されるのであって、これは前述の溝４の内方片側面ａの傾斜角αと同一のものになされるのであり、従って後述する上記溝４内へ差入れたさいに両者間の対向面で曲げ加工品で要求される角度θが形成されるものとなされるのである。
【００１２】
一方、該入れ子１の他側面１ｂは溝４内の他の片側面ｂの傾斜角βと同一の角度を持った傾斜に形成されるものとなされている。
他方、１ｃは上方部の肩段、１ｄは下方部に形成された皿段であって、該肩段１ｃ上部と皿段１ｄ下部は共に水平面に形成され、且つ肩段１ｃ及び皿段１ｃ上面の長さ寸法ｅ及びｆを適宜異ならしめたものが適当種類作成されるものとなされる。
図３Ａ，Ｂ，Ｃは上記した長さ寸法を異ならしめた３種類の入れ子１，１’，１”を下型母体３の溝４内へ差入れた状態説明図である。
【００１３】
上記例の如く異なる長さ寸法ｅ，ｆの入れ子１，１’，１”を使用するものでは、加工を行わんとする金属板６の板厚ｔや脚長ｋなどの条件要求が種々変化するさい、下型母体３の全体を取換えたりすることなく、簡便且つ安価に対応させることのできるものとなる。
【００１４】
図４Ａは上記の入れ子１を下型母体３の溝４内へ差入れると共に、金属板６を上方から上型７を使用してプレス加工される状態を示すものであり、同図Ｂは上記のプレス加工でＶ曲げ加工された金属板６のＶ曲げ加工箇所６ａを逆凸型３Ａと凹型３Ｂとの間に形成される間隙箇所５に差し込み、再び上型７を下降させることにより二次的なプレス加工の施される状態を示すものであり、同図Ｃはその加圧プレスされた状態図である。
【００１５】
上記はダブルデッキタイプのもので、逆凸型３Ｂの中央突起体が凹型３Ａの中央の穴内に嵌入され、且つ内蔵させたスプリング８の弾撥作用で上下方向の摺動可能になされるのであり、上型７に対する押圧力が作用しないときは、逆凸型３Ｂがスプリング８の弾撥作用で上昇し、凹型３Ａとの間に一定寸法の間隙５が形成されるものとなるのである。
従って、上記ダブルデッキの使用では金型を代えることなく、効率良くヘミング加工の行われるものとなるのであるが、該タイプによらない即ち金型を取換えて実施することも差支えない。
【実施例２】
【００１６】
上記実施例はＶ曲げ加工及びヘミング加工について説明したが、図５はＵ字曲げ加工を行う模式説明図である。該図面で見られる通り本例では溝４の片側面ａは垂直面に形成されるものとなし、且つこれと対向する入れ子１の対面１ａも同様の垂直面となすのであり、又上型７’を一定の肉厚巾ｓで且つその先端部はＵ字曲げに必要な曲率Ｒの形成されたものとなされている。
【実施例３】
【００１７】
図６はコ字状曲げ加工例を示すものであり、本例では前例同様に溝４の片側面ａは垂直面に形成されると共に、入れ子１の対面１ａも同様の垂直面で且つ皿段１ｃとは直角な隅角ｎの形成されるものとなされている。なお、上型７”の先端部は上記の隅角ｎと対応する直角に形成されるものとなされている。
【図面の簡単な説明】
【００１８】
【図１】本発明装置で使用する入れ子の斜視図である。
【図２】プレス用曲げ金型装置の下型母体を示すもので、Ａは上記入れ子が装備されていない状態を、Ｂは装備させた模式説明図である。
【図３】Ａ，Ｂ，Ｃは肩段と皿段の寸法を異ならしめた入れ子の使用説明図である。
【図４】上記金型装置を使用して金属板のＶ曲げ加工及びヘミング加工を施す作用説明図である。
【図５】Ｕ字曲げ加工を示す作用説明図である。
【図６】コ字曲げ加工を示す作用説明図である。
【符号の説明】
【００１９】
１      入れ子
２      プレス用曲げ金型装置
３      下型母体
６      金属板
７      上型
【図１】
2005059058.tif 000003
【図２】
2005059058.tif 000004
【図３】
2005059058.tif 000005
【図４】
2005059058.tif 000006
【図５】
2005059058.tif 000007
【図６】
2005059058.tif 000008